(57)【要約】【課題】物体が比較的小さい加速度でタッチパネルに接近する場合でも、タッチ操作を誤検出してしまうおそれを低減させる。【解決手段】タッチパネル入力装置が、タッチパネルと、タッチパネルへの物体の接近を検出する近接センサと、タッチパネルへのタッチ操作を検出するタッチ操作検出部と、タッチ操作検出部の検出感度を設定するタッチ感度設定部と、近接センサの検出結果に基づいて、タッチ操作に用いられる物体以外の物体がタッチパネルに接近した状態を検出する接近検出部と、接近検出部が、タッチ操作に用いられる物体以外の物体がタッチパネルに接近した状態を検出した場合、タッチ操作検出部が行うタッチ操作の検出を抑制する検出抑制部と、タッチ感度設定部が、タッチ操作検出部の検出感度を比較的高く設定した場合、タッチ操作検出部の検出感度を比較的低く設定した場合よりも、接近検出部の検出感度を高く設定する接近感度設定部と、を具備する。【選択図】図１
2015014932.tif 000002
【特許請求の範囲】
【請求項１】
タッチパネルと、
前記タッチパネルへの物体の接近を検出する近接センサと、
前記タッチパネルへのタッチ操作を検出するタッチ操作検出部と、
前記タッチ操作検出部の検出感度を設定するタッチ感度設定部と、
前記近接センサの検出結果に基づいて、タッチ操作に用いられる物体以外の物体が前記タッチパネルに接近した状態を検出する接近検出部と、
前記接近検出部が、タッチ操作に用いられる物体以外の物体が前記タッチパネルに接近した状態を検出した場合、前記タッチ操作検出部が行うタッチ操作の検出を抑制する検出抑制部と、
前記タッチ感度設定部が、前記タッチ操作検出部の検出感度を比較的高く設定した場合、前記タッチ操作検出部の検出感度を比較的低く設定した場合よりも、前記接近検出部の検出感度を高く設定する接近感度設定部と、
を具備することを特徴とするタッチパネル入力装置。
【請求項２】
前記タッチ操作検出部の検出感度毎に前記接近検出部の検出感度の閾値を記憶する閾値記憶部を具備し、
前記接近感度設定部は、前記閾値記憶部の記憶する前記閾値に基づいて前記接近検出部の検出感度を設定する、ことを特徴とする請求項１に記載のタッチパネル入力装置。
【請求項３】
前記閾値記憶部は前記閾値を不揮発性メモリにて記憶することを特徴とする請求項２に記載のタッチパネル入力装置。
【請求項４】
タッチパネルと、
前記タッチパネルへの物体の接近を検出する近接センサと、
を具備する装置のタッチ操作検出制御方法であって、
前記タッチパネルへのタッチ操作を検出するタッチ操作検出ステップと、
前記タッチ操作検出ステップでの検出感度を設定するタッチ感度設定ステップと、
前記近接センサの検出結果に基づいて、タッチ操作に用いられる物体以外の物体が前記タッチパネルに接近した状態を検出する接近検出ステップと、
前記接近検出ステップにて、タッチ操作に用いられる物体以外の物体が前記タッチパネルに接近した状態を検出した場合、前記タッチ操作検出ステップにて行うタッチ操作の検出を抑制する検出抑制ステップと、
前記タッチ感度設定ステップにて、前記タッチ操作検出ステップでの検出感度を比較的高く設定した場合、前記タッチ操作検出ステップでの検出感度を比較的低く設定した場合よりも、前記接近検出ステップでの検出感度を高く設定する接近感度設定ステップと、
を具備することを特徴とするタッチ操作検出制御方法。
【請求項５】
タッチパネルと、
前記タッチパネルへの物体の接近を検出する近接センサと、
を具備する装置のタッチ操作検出を制御するコンピュータに、
前記タッチパネルへのタッチ操作を検出するタッチ操作検出ステップと、
前記タッチ操作検出ステップでの検出感度を設定するタッチ感度設定ステップと、
前記近接センサの検出結果に基づいて、タッチ操作に用いられる物体以外の物体が前記タッチパネルに接近した状態を検出する接近検出ステップと、
前記接近検出ステップにて、タッチ操作に用いられる物体以外の物体が前記タッチパネルに接近した状態を検出した場合、前記タッチ操作検出ステップにて行うタッチ操作の検出を抑制する検出抑制ステップと、
前記タッチ感度設定ステップにて、前記タッチ操作検出ステップでの検出感度を比較的高く設定した場合、前記タッチ操作検出ステップでの検出感度を比較的低く設定した場合よりも、前記接近検出ステップでの検出感度を高く設定する接近感度設定ステップと、
を実行させるためのプログラム。
【発明の詳細な説明】
【技術分野】
【０００１】
本発明は、タッチパネル入力装置、タッチ操作検出制御方法およびプログラムに関する。
【背景技術】
【０００２】
タッチパネルを具備する装置において、ユーザがタッチ操作を意図しない状況で物体がタッチパネルに接近する場合、当該物体の接近をタッチ操作として検出してしまう誤検出のおそれがある。例えば、タッチパネルを具備する携帯端末装置において、通話時などユーザがタッチ操作を意図しない状況で、顔などの物体がタッチパネルに接近したことをタッチ操作として検出してしまうおそれがある。
かかる誤検出を防止する方法として、近接センサを用いて、装置への物体の接近を検出した場合にタッチ操作の検出を抑制する方法がある。
【０００３】
例えば、特許文献１に記載の携帯電話機は、接触による情報入力が可能なタッチパネルと、通話時における前記タッチパネルの人体への接近を検出する近接センサと、加速度を検出する加速度センサと、前記近接センサが前記人体への接近を検出したとき前記タッチパネルからの前記情報入力を禁止する一方、前記加速度センサから出力される検出加速度の大きさに応じて前記近接センサの感度を制御する制御部と、を備える。そして、前記制御部は、前記検出加速度が所定の閾値を越えた場合は、前記感度を予め設定されている通常感度よりも高い感度に設定する。
特許文献１では、これにより、ユーザが通常よりも速い速度でタッチパネル付き携帯電話機を耳等に近づけた場合であってもタッチパネルからの誤入力を防止することができる、とされている。
【先行技術文献】
【特許文献】
【０００４】
【特許文献１】特開２０１１−６１３１６号公報
【発明の概要】
【発明が解決しようとする課題】
【０００５】
近接センサを用いて、装置への物体の接近を検出した場合にタッチ操作の検出を抑制する方法では、近接センサが物体を検知する前にタッチパネルが反応してしまうと、タッチ操作を誤検出してしまうおそれがある。
また、特許文献１に記載の携帯電話機では、物体が所定の閾値以下の加速度でタッチパネルに接近する場合、近接センサの感度を高く設定することができない。かかる場合、特許文献１に記載の携帯電話機では、タッチ操作を誤検出してしまうおそれがある。
【０００６】
本発明は、上述の課題を解決することのできるタッチパネル入力装置、タッチ操作検出制御方法およびプログラムを提供することを目的としている。
【課題を解決するための手段】
【０００７】
この発明は上述した課題を解決するためになされたもので、本発明の一態様によるタッチパネル入力装置は、タッチパネルと、前記タッチパネルへの物体の接近を検出する近接センサと、前記タッチパネルへのタッチ操作を検出するタッチ操作検出部と、前記タッチ操作検出部の検出感度を設定するタッチ感度設定部と、前記近接センサの検出結果に基づいて、タッチ操作に用いられる物体以外の物体が前記タッチパネルに接近した状態を検出する接近検出部と、前記接近検出部が、タッチ操作に用いられる物体以外の物体が前記タッチパネルに接近した状態を検出した場合、前記タッチ操作検出部が行うタッチ操作の検出を抑制する検出抑制部と、前記タッチ感度設定部が、前記タッチ操作検出部の検出感度を比較的高く設定した場合、前記タッチ操作検出部の検出感度を比較的低く設定した場合よりも、前記接近検出部の検出感度を高く設定する接近感度設定部と、を具備することを特徴とする。
【０００８】
また、本発明の他の一態様によるタッチ操作検出制御方法は、タッチパネルと、前記タッチパネルへの物体の接近を検出する近接センサと、を具備する装置のタッチ操作検出制御方法であって、前記タッチパネルへのタッチ操作を検出するタッチ操作検出ステップと、前記タッチ操作検出ステップでの検出感度を設定するタッチ感度設定ステップと、前記近接センサの検出結果に基づいて、タッチ操作に用いられる物体以外の物体が前記タッチパネルに接近した状態を検出する接近検出ステップと、前記接近検出ステップにて、タッチ操作に用いられる物体以外の物体が前記タッチパネルに接近した状態を検出した場合、前記タッチ操作検出ステップにて行うタッチ操作の検出を抑制する検出抑制ステップと、前記タッチ感度設定ステップにて、前記タッチ操作検出ステップでの検出感度を比較的高く設定した場合、前記タッチ操作検出ステップでの検出感度を比較的低く設定した場合よりも、前記接近検出ステップでの検出感度を高く設定する接近感度設定ステップと、を具備することを特徴とする。
【０００９】
また、本発明の他の一態様によるプログラムは、タッチパネルと、前記タッチパネルへの物体の接近を検出する近接センサと、を具備する装置のタッチ操作検出を制御するコンピュータに、前記タッチパネルへのタッチ操作を検出するタッチ操作検出ステップと、前記タッチ操作検出ステップでの検出感度を設定するタッチ感度設定ステップと、前記近接センサの検出結果に基づいて、タッチ操作に用いられる物体以外の物体が前記タッチパネルに接近した状態を検出する接近検出ステップと、前記接近検出ステップにて、タッチ操作に用いられる物体以外の物体が前記タッチパネルに接近した状態を検出した場合、前記タッチ操作検出ステップにて行うタッチ操作の検出を抑制する検出抑制ステップと、前記タッチ感度設定ステップにて、前記タッチ操作検出ステップでの検出感度を比較的高く設定した場合、前記タッチ操作検出ステップでの検出感度を比較的低く設定した場合よりも、前記接近検出ステップでの検出感度を高く設定する接近感度設定ステップと、を実行させるためのプログラムである。
【発明の効果】
【００１０】
本発明によれば、物体が比較的小さい加速度でタッチパネルに接近する場合でも、タッチ操作を誤検出してしまうおそれを低減させることができる。
【図面の簡単な説明】
【００１１】
【図１】本発明の一実施形態におけるタッチパネル入力装置の機能構成を示す概略ブロック図である。
【図２】同実施形態におけるスマートフォンのハードウェア構成を示す概略構成図である。
【図３】同実施形態におけるスマートフォンを正面側から見た外観を示す概略外形図である。
【図４】同実施形態におけるスマートフォンの機能構成を示す概略ブロック図である。
【図５】同実施形態において、ユーザの指がタッチパネルに接近した状態の例を示す説明図である。
【図６】同実施形態における、物体による赤外光の反射の例を示す説明図である。
【図７】同実施形態における、タッチパネルと物体との距離と、受光素子の受光量との関係の例を示すグラフである。
【図８】同実施形態において、接近感度設定部が接近検出部の閾値を設定する処理手順の例を示すフローチャートである。
【発明を実施するための形態】
【００１２】
以下、図面を参照して、本発明の実施の形態について説明する。
図１は、本発明の一実施形態におけるタッチパネル入力装置の機能構成を示す概略ブロック図である。同図において、タッチパネル入力装置１０は、タッチパネル１１と、近接センサ１２と、タッチ感度設定部１３と、タッチ操作検出部１４と、検出抑制部１５と、接近検出部１６と、接近感度設定部１７とを具備する。
ここでいうタッチパネル入力装置とは、タッチパネルを具備する装置である。
【００１３】
タッチパネル１１は、非接触型のタッチパネルであり、ユーザ入力操作としてタッチ操作を受け付ける。以下では、タッチパネル１１が投影型静電容量方式のタッチパネルである場合を例に説明する。
近接センサ１２は、タッチパネル１１への物体の接近（例えば接近度合い）を検出する。例えば、近接センサ１２は、赤外光（赤外線）を発光（出力）して物体にて反射した赤外光を受光し、受光した赤外光の強度を示す信号を、タッチパネル１１への物体の接近度合いを示す信号として接近検出部１６へ出力する。あるいは、近接センサ１２が、超音波またはレーザなど、赤外光以外の手段を用いてタッチパネル１１への物体の接近度合いを検出するようにしてもよい。
【００１４】
タッチ操作検出部１４は、タッチパネル１１へのタッチ操作を検出する。具体的には、タッチ操作検出部１４は、タッチパネル１１における静電容量の変化に基づいて、タッチパネル１１へのタッチ操作の有無やタッチ位置を判定する。ここでいうタッチ位置とは、タッチパネルにおける、タッチ操作の行われた位置である。
【００１５】
タッチ感度設定部１３は、タッチ操作検出部１４の検出感度を設定する。具体的には、タッチ感度設定部１３は、タッチ操作検出部１４がタッチ操作の有無の判定に用いる閾値を調整することで、タッチ操作検出部１４の検出感度を設定する。タッチ操作検出部１４は、検出感度を高く設定されるほど、タッチパネル１１における静電容量の変化が小さくてもタッチ操作ありと判定（検出）する。
【００１６】
タッチ感度設定部１３は、例えば、ユーザの設定操作に従って、タッチ操作検出部１４の検出感度を設定する。
あるいは、タッチ感度設定部１３が、タッチ操作検出部１４の検出感度を自動的に設定するようにしてもよい。例えば、タッチ感度設定部１３が、ユーザの指が素手の状態か手袋を装着した状態かを判定し、手袋を装着した状態であると判定した場合、タッチ操作検出部１４の検出感度を高く設定するようにしてもよい。ユーザの指が素手の状態か手袋を装着した状態かの判定は、例えば、タッチパネル１１における静電容量の変化の大きさに基づいて行う。
【００１７】
接近検出部１６は、近接センサ１２の検出結果に基づいて、タッチ操作に用いられる物体以外の物体がタッチパネル１１に接近した状態を検出する。ここで、タッチ操作に用いられる物体の例として、ユーザの指やタッチペン（スタイラスペン）を挙げることができる。なお、以下では、物体がタッチパネルに接近した状態を、当該物体のタッチパネルへの「接近状態」と称する。
接近検出部１６が、タッチ操作に用いられる物体以外の物体のタッチパネル１１への接近状態を検出する方法として、様々な方法を用いることができる。
【００１８】
例えば、タッチパネル入力装置１０がスマートフォンまたは携帯電話機である場合、接近検出部１６が、スピーカ付近における物体の接近状態を、タッチ操作に用いられる物体以外の物体のタッチパネル１１への接近状態として検出するようにしてもよい。この場合、近接センサ１２はスピーカ付近に配置される。接近検出部１６が当該検出を行うことで、通話時等におけるユーザの頭のタッチパネル１１への接近をタッチ操作検出部１４がタッチ操作として検出してしまう誤検出を防止できる。
【００１９】
あるいは、接近検出部１６が、タッチパネル１１に接近した物体の大きさを判定し、所定の大きさ以上の物体のタッチパネル１１への接近状態を、タッチ操作に用いられる物体以外の物体のタッチパネル１１への接近状態として検出するようにしてもよい。例えば、近接センサ１２が、タッチパネル１１の周囲に複数設けられ、接近検出部１６は、複数の近接センサ１２において物体が所定の閾値以上に接近したと判定した場合に、所定の大きさ以上の物体のタッチパネル１１への接近状態を検出する。
【００２０】
検出抑制部１５は、接近検出部１６が、タッチ操作に用いられる物体以外の物体のタッチパネル１１への接近状態を検出した場合、タッチ操作検出部１４が行うタッチ操作の検出を抑制する。検出抑制部１５が当該抑制を行うことで、タッチ操作検出部１４がタッチ操作を誤検出してしまうおそれを低減させることができる。ここでいうタッチ操作の誤検出とは、ユーザがタッチ操作を意図しない状況での物体のタッチパネルへの接近をタッチ操作として検出してしまうことである。
【００２１】
接近感度設定部１７は、接近検出部１６の検出感度を設定する。具体的には、接近感度設定部１７は、接近検出部１６が近接センサ１２の検出結果を用いて行う判定の閾値を調整することで、接近検出部１６の検出感度を設定する。あるいは、接近感度設定部１７が、近接センサ１２の赤外光出力強度を調整するなど近接センサ１２を調整することで、接近検出部１６の検出感度を設定するようにしてもよい。
【００２２】
接近感度設定部１７は、タッチ感度設定部１３が、タッチ操作検出部１４の検出感度を比較的高く設定した場合、タッチ操作検出部１４の検出感度を比較的低く設定した場合よりも、接近検出部１６の検出感度を高く設定する。接近検出部１６は、検出感度を高く設定されるほど、近接センサ１２からの信号の示すタッチパネル１１への物体の接近の度合いが小さくても、タッチ操作に用いられる物体以外の物体のタッチパネル１１への接近状態を検出する。
【００２３】
ここで、タッチ操作検出部１４は、検出感度が比較的高い状態では、タッチパネル１１における比較的小さな静電容量の変化をタッチ操作として検出する。従って、タッチパネル１１と物体との距離が比較的離れている状態にて、タッチ操作検出部１４はタッチ操作ありと判定する。この点において、タッチ操作検出部１４がタッチ操作を誤検出してしまうおそれが高くなる。
【００２４】
そこで、接近感度設定部１７が、タッチ操作検出部１４の検出感度が比較的高い場合に、タッチ操作検出部１４の検出感度が比較的低い場合よりも接近検出部１６の検出感度を高く設定する。接近感度設定部１７が、接近検出部１６の検出感度を比較的高く設定することで、接近検出部１６は、物体がタッチパネル１１から比較的離れている状態でも、タッチ操作に用いられる物体以外の物体のタッチパネル１１への接近状態を検出する。
接近検出部１６の検出結果に基づいて、検出抑制部１５が、タッチ操作検出部１４の行うタッチ操作の検出を抑制することで、タッチ操作検出部１４がタッチ操作を誤検出してしまうおそれを低減させることができる。
【００２５】
以上のように、接近検出部１６が、タッチ操作に用いられる物体以外の物体のタッチパネル１１への接近状態を検出した場合、検出抑制部１５は、タッチ操作検出部１４の行うタッチ操作の検出を抑制する。また、接近感度設定部１７は、タッチ感度設定部１３がタッチ操作検出部１４の検出感度を比較的高く設定した場合、タッチ操作検出部１４の検出感度を比較的低く設定した場合よりも、接近検出部１６の検出感度を高く設定する。
これにより、上記のように、タッチ操作検出部１４がタッチ操作を誤検出してしまうおそれを低減させることができる。
【００２６】
特に、接近検出部１６は、近接センサ１２によるタッチパネル１１への物体の接近の検出結果に基づいて、タッチ操作に用いられる物体以外の物体のタッチパネル１１への接近状態を検出するので、物体の加速度に依存せずに当該検出を行うことができる。従って、タッチパネル入力装置１０では、物体が比較的小さい加速度でタッチパネルに接近する場合でも、タッチ操作検出部１４がタッチ操作を誤検出してしまうおそれを低減させることができる。
【００２７】
次に、図２〜図８を参照して、本発明をスマートフォンに適用した場合を例に、本発明の実施形態についてさらに詳細に説明する。
図２は、本実施形態におけるスマートフォンのハードウェア構成を示す概略構成図である。同図において、スマートフォン１００は、タッチパネル１１０と、近接センサ１２０と、通信回路１３１と、アンテナ１３２と、音声入力回路１４１と、音声出力回路１４２と、記憶デバイス１８０と、ＣＰＵ（Central Processing Unit、中央処理装置）とを具備する。タッチパネル１１０は、表示デバイス１１１とタッチセンサ１１２とを具備する。近接センサ１２０は、発光素子１２１と、受光素子１２２とを具備する。
【００２８】
スマートフォン１００は、タッチパネル１１０へのタッチ操作によるユーザ操作に基づいて、音声通話機能や、電子メール機能や、ウェブブラウジング機能など、各種機能を提供する。スマートフォン１００は、タッチパネル入力装置１０（図１）の一例に該当する。
但し、本発明は、スマートフォンに限らず様々なタッチパネル入力装置に適用可能である。例えば、タッチパネルを具備する、携帯電話機、タブレット端末装置、パソコン（Personal Computer；ＰＣ）、または、ゲーム機等に、本発明を適用することができる。
【００２９】
タッチパネル１１０は、非接触型のタッチパネルであり、ユーザ入力操作としてタッチ操作を受け付ける。タッチパネル１１０は、タッチパネル１１（図１）の一例に該当する。
表示デバイス１１１は、例えば液晶ディスプレイ（Liquid Crystal Display；ＬＣＤ）または有機ＥＬディスプレイ（Organic Electroluminescence Display；ＯＥＬＤ）などの表示画面を具備し、動画像や静止画像やテキスト（文字）など各種画像を表示する。
タッチセンサ１１２は、表示デバイス１１１の表示画面に設けられ、タッチ操作など表示画面へ物体の接近を、静電容量の変化にて検出する。タッチセンサ１１２は、静電容量を示す信号をＣＰＵ１９０へ出力する。
【００３０】
近接センサ１２０は、タッチパネル１１０の近傍に設けられて、タッチパネル１１０への物体の接近（例えば接近度合い）を検出する。近接センサ１２０は、近接センサ１２（図１）の一例に該当する。
発光素子１２１は、赤外光を発光する発光ダイオード（Light Emitting Diode；ＬＥＤ）である。
受光素子１２２は、赤外光を検出するフォトダイオード（Photodiode；ＰＤ）である。特に、受光素子１２２は、発光素子１２１が発光し物体に当たって反射した赤外光を検出する。これにより、受光素子１２２は、タッチパネル１１０への物体の接近度合いを検出する。
受光素子１２２は、赤外光の受光量を示す信号をＣＰＵ１９０へ出力する。受光素子１２２が出力する当該信号は、タッチパネル１１０への物体の近接度合いを示す。
【００３１】
通信回路１３１は、アンテナ１３２を介して、携帯電話網の基地局との間で無線回線を形成し、送受信信号を変調・復調することで、基地局との間で無線通信を行って各種データを送受信する。ここでいう携帯電話網とは、通信事業者が携帯電話端末装置（スマートフォンおよび携帯電話機）向けに提供する無線通信ネットワークである。
【００３２】
音声入力回路１４１はマイクを具備し、周囲音を採取して音声信号に変換して、得られた音声信号をＣＰＵ１９０へ出力する。例えば、音声入力回路１４１は、音声通話時において、ユーザの発話音声を採取して音声信号をＣＰＵ１９０へ出力する。
音声出力回路１４２はスピーカを具備し、ＣＰＵ１９０から音声信号に基づいて音声を出力する。例えば、音声出力回路１４２は、通話着信時における着信音の音声信号をＣＰＵ１９０から取得して、着信音を出力する。また、音声出力回路１４２は、音声通話時における通話相手の発話音声の音声信号をＣＰＵ１９０から取得して、通話相手の発話音声を出力する。
【００３３】
記憶デバイス１８０は、例えばＲＯＭ（Read Only Memory）やＲＡＭ（Random Access Memory）等のメモリを具備して、各種データを記憶する。
ＣＰＵ１９０は、記憶デバイス１８０からプログラムを読み出して実行することで、スマートフォン１００の各部を制御して各種機能を実行する。ＣＰＵ１９０は、バスラインや入出力インタフェース（I/O Interface）にて、記憶デバイス１８０や、その他スマートフォン１００の各部に接続されている。
【００３４】
図３は、スマートフォン１００を正面側（表示画面側）から見た外観を示す概略外形図である。同図において、スマートフォン１００の筐体１００ａの同一面に、タッチパネル１１０の表示画面と、近接センサ１２０と、音声入力回路１４１のマイクと、音声出力回路１４２のスピーカとが配置されている。
筐体１００ａは、片手で持って操作可能、かつ、携帯に便利な大きさの筐体である。
【００３５】
また、筐体１００ａの内部には、アンテナ１３２が設けられている。アンテナ１３２は、筐体１００ａから伸縮可能であってもよいし、筐体１００ａ内部に固定されていてもよい。
また、図３において、タッチパネル１１０の表示画面の上に、音声出力回路１４２のスピーカとが配置され、タッチパネル１１０の表示画面の下に音声入力回路１４１のマイクが配置されている。さらに、近接センサ１２０は音声出力回路１４２のスピーカの近傍に配置されている。当該配置により、通話時におけるユーザの頭等のスピーカへの接近（表示画面のスピーカ近傍部分への接近）を検出することができる。
【００３６】
図４は、スマートフォン１００の機能構成を示す概略ブロック図である。同図において、スマートフォン１００は、タッチパネル１１０と、近接センサ１２０と、通信部２３０と、音声入力回路１４１と、音声出力回路１４２と、記憶部２８０と、制御部２９０とを具備する。タッチパネル１１０は、表示デバイス１１１と、タッチセンサ１１２とを具備する。近接センサ１２０は、発光素子１２１と、受光素子１２２とを具備する。記憶部２８０は、閾値記憶部２８１を具備する。制御部２９０は、タッチ感度設定部２９１と、タッチ操作検出部２９２と、検出抑制部２９３と、接近検出部２９４とを具備する。
図４において、図２の各部と同一の部分には同一の符号（１００、１１０〜１１２、１２０〜１２２、１４１〜１４２）を付して説明を省略する。
【００３７】
通信部２３０は、通信回路１３１（図２）とアンテナ１３２との組み合わせにて構成される。図２を参照して通信回路１３１について説明したように、通信部２３０は、携帯電話網の基地局との間で無線通信を行って各種データを送受信する。
記憶部２８０は、記憶デバイス１８０（図２）にて実現される。図２を参照して記憶デバイス１８０について説明したように、記憶部２８０は、各種データを記憶する。
【００３８】
閾値記憶部２８１は、タッチ操作検出部２９２の検出感度毎に、接近検出部２９４の検出感度の閾値を記憶する。閾値記憶部２８１の記憶する当該閾値を用いて、接近感度設定部２９５が、接近検出部２９４の検出感度を設定する。
閾値記憶部２８１は、不揮発性メモリにて実現され、当該閾値を不揮発性メモリにて記憶する。
【００３９】
制御部２９０は、ＣＰＵ１９０（図２）が記憶デバイス１８０からプログラムを読み出して実行することで実現され、スマートフォン１００の各部を制御して各種機能を実行する。
タッチ操作検出部２９２は、タッチパネル１１０へのタッチ操作を検出する。タッチ操作検出部２９２は、タッチ操作検出部１４（図１）の一例に該当する。
タッチ感度設定部２９１は、タッチ操作検出部２９２の検出感度を設定する。タッチ感度設定部２９１は、タッチ感度設定部１３（図１）の一例に該当する。
【００４０】
接近検出部２９４は、近接センサ１２０の検出結果に基づいて、タッチ操作に用いられる物体以外の物体のタッチパネル１１０への接近状態を検出する。接近検出部２９４は、接近検出部１６（図１）の一例に該当する。
検出抑制部２９３は、接近検出部２９４が、タッチ操作に用いられる物体以外の物体のタッチパネル１１０への接近状態を検出した場合、タッチ操作検出部２９２が行うタッチ操作の検出を抑制する。検出抑制部２９３は、検出抑制部１５（図１）の一例に該当する。
【００４１】
接近感度設定部２９５は、接近検出部２９４の検出感度を設定する。接近感度設定部２９５は、接近感度設定部１７（図１）の一例に該当する。
特に、接近感度設定部２９５は、閾値記憶部２８１の記憶する閾値に基づいて接近検出部２９４の検出感度を設定する。例えば、接近感度設定部２９５は、タッチ感度設定部２９１からタッチ操作検出部２９２の検出感度の情報を取得し、タッチ操作検出部２９２の検出感度に応じた閾値を閾値記憶部２８１から読み出して、接近検出部２９４に設定する。
【００４２】
次に図５を参照して、タッチパネル１１０およびタッチ操作検出部２９２によるタッチ操作の検出について説明する。
図５は、ユーザの指がタッチパネルに接近した状態の例を示す説明図である。同図において、ユーザの指Ｆは、タッチパネル１１０から距離Ｄの位置にある。
ユーザが指Ｆをタッチパネル１１０に近づけていくと（さらには、接触させると）、人体が導電性を有することに起因して、タッチパネル１１０と指Ｆとの間に静電容量が発生する。タッチパネル１１０と指Ｆとの間に発生する静電容量Ｃは、式（１）に示すように、タッチパネル１１０と指Ｆとの距離Ｄに反比例する。
【００４３】
【数１】
2015014932.tif 000003
【００４４】
ここで、εは誘電率を示し、Ｓは指Ｆの面積を示す。
この静電容量Ｃが閾値以上の場合に、タッチ操作検出部２９２がタッチ操作ありと判定してタッチ位置を検出することで、ユーザが指等をタッチパネルに接近または接触させて行うタッチ操作を検出することができる。
【００４５】
次に、図６を参照して、近接センサ１２０および接近検出部２９４による物体のタッチパネル１１０への接近状態の検出について説明する。
図６は、物体による赤外光の反射の例を示す説明図である。
近接センサ１２０において、発光素子１２１が赤外光を放出する。そして、検出対象である物体Ｏｂｊにて反射した赤外光を、受光素子１２２が受光する。
【００４６】
接近検出部２９４は、受光素子１２２の受光量と閾値とを比較して、受光量が閾値以上の場合に、物体がタッチパネル１１０への接近状態にあると判定する。さらに、近接センサ１２０がスピーカの近傍に設置されている、あるいは、複数の近接センサ１２０において受光量が閾値以上になったなど、所定の条件を満たす場合、接近検出部２９４は、タッチ操作に用いられる物体以外の物体のタッチパネル１１０への接近状態を検出する。
【００４７】
次に、図７を参照して、接近感度設定部２９５が設定する閾値と接近検出部２９４の検出感度との関係について説明する。
図７は、タッチパネル１１０と物体との距離と、受光素子１２２の受光量との関係の例を示すグラフである。同図の横軸は、検出対象の物体とタッチパネル１１０との距離を示す。縦軸は、受光素子１２２の受光量を示す。線Ｌ１１は、所定の物体とタッチパネル１１０との距離と、受光素子１２２の受光量との関係を示す。
【００４８】
また、図７の例では、ユーザが素手でタッチ操作を行うためのタッチパネル通常モードと、ユーザが手袋を装着した指でタッチ操作を行うためのタッチパネル高感度モードとがある。ユーザが手袋を装着した状態では、タッチパネル１１０の静電容量の変化が素手の状態よりも小さい。そこで、タッチパネル高感度モードでは、タッチ感度設定部２９１は、比較的小さい閾値をタッチ操作検出部２９２に設定する。タッチ操作検出部２９２は、当該閾値を用いて、比較的小さい静電容量の変化でもタッチ操作ありと判定する。すなわち、タッチ操作検出部２９２の検出感度が比較的高く設定される。
【００４９】
閾値Ｔｈ１は、タッチパネル通常モードの場合に、接近感度設定部２９５が接近検出部２９４に設定する閾値である。この場合、接近検出部２９４は、タッチパネル１１０と所定の物体との距離がＤ１以下の場合に、当該物体のタッチパネル１１０への接近状態を、タッチ操作に用いられる物体以外の物体のタッチパネル１１０への接近状態として検出する。
【００５０】
一方、閾値Ｔｈ２は、タッチパネル高感度モードの場合に、接近感度設定部２９５が接近検出部２９４に設定する閾値である。この場合、接近検出部２９４は、タッチパネル１１０と所定の物体との距離がＤ２以下の場合に、当該物体のタッチパネル１１０への接近状態を、タッチ操作に用いられる物体以外の物体のタッチパネル１１０への接近状態として検出する。
【００５１】
このように、タッチパネル通常モードの場合との比較において、タッチパネル高感度モードでは、接近検出部２９４は、タッチパネル１１０と物体との距離が大きい状態でも、タッチ操作に用いられる物体以外の物体のタッチパネル１１０への接近状態を検出する。
ここで、タッチパネル入力装置１０（図１）について説明したのと同様、タッチ操作検出部２９２は、タッチパネル高感度モードでは、タッチパネル１１０における比較的小さな静電容量の変化をタッチ操作として検出する。従って、タッチパネル１１０と物体との距離が比較的離れている状態にて、タッチ操作検出部２９２はタッチ操作ありと判定する。この点において、タッチ操作検出部２９２がタッチ操作を誤検出してしまうおそれが高くなる。
【００５２】
そこで、タッチパネル高感度モードでは、接近感度設定部１７が、タッチパネル通常モードの場合の閾値Ｔｈ１よりも小さい閾値Ｔｈ２を設定することで、接近検出部２９４の検出感度を高く設定する。これにより、接近検出部２９４は、物体がタッチパネル１１０から比較的離れている状態でも、タッチ操作に用いられる物体以外の物体のタッチパネル１１への接近状態を検出する。
接近検出部２９４の検出結果に基づいて、検出抑制部２９３が、タッチ操作検出部２９２の行うタッチ操作の検出を抑制することで、タッチ操作検出部２９２がタッチ操作を誤検出してしまうおそれを低減させることができる。
【００５３】
また、スマートフォン１００をメンテナンスする作業者は、閾値記憶部２８１が記憶している閾値を調整する（書き換える）ことで、タッチ操作検出部２９２の検出感度と接近検出部２９４の検出感度との関係を容易に調整することができる。これにより作業者は、タッチセンサ１１２の特性や発光素子１２１の特性や受光素子１２２の特性の装置毎のばらつきに容易に対応することができる。
【００５４】
次に、図８を参照して、スマートフォン１００の動作について説明する。
図８は、接近感度設定部２９５が接近検出部２９４の閾値を設定する処理手順の例を示すフローチャートである。図７の例と同じく図８の例において、タッチパネル通常モードでは、接近感度設定部２９５は、閾値Ｔｈ１を接近検出部２９４に設定する。一方、タッチパネル高感度モードでは、接近感度設定部２９５は、閾値Ｔｈ２を接近検出部２９４に設定する。
【００５５】
スマートフォン１００は、起動時にはタッチパネル通常モードとなる。そこで、接近感度設定部２９５は、閾値Ｔｈ１を接近検出部２９４に設定する（ステップＳ１０１）。
次に、接近感度設定部２９５は、タッチパネル高感度モードが開始したか否かを判定する（ステップＳ１０２）。タッチパネル高感度モードが開始していないと判定した場合（ステップＳ１０２：ＮＯ）、ステップＳ１０２へ戻る。すなわち、接近感度設定部２９５は、タッチパネル高感度モードの開始を待ち受ける。
【００５６】
一方、ステップＳ１０２において、タッチパネル高感度モードが開始したと判定した場合（ステップＳ１０２：ＹＥＳ）、接近感度設定部２９５は、閾値Ｔｈ２を接近検出部２９４に設定する（ステップＳ１１１）。
次に、接近感度設定部２９５は、タッチパネル高感度モードが終了したか否かを判定する（ステップＳ１１２）。タッチパネル高感度モードが終了していないと判定した場合（ステップＳ１１２：ＮＯ）、ステップＳ１１２へ戻る。すなわち、接近感度設定部２９５は、タッチパネル高感度モードの終了を待ち受ける。
一方、ステップＳ１１２において、タッチパネル高感度モードが終了したと判定した場合（ステップＳ１１２：ＹＥＳ）、ステップＳ１０１へ戻る。
【００５７】
以上のように、接近検出部２９４が、タッチ操作に用いられる物体以外の物体のタッチパネル１１０への接近状態を検出した場合、検出抑制部２９３は、タッチ操作検出部２９２の行うタッチ操作の検出を抑制する。また、接近感度設定部２９５は、タッチ感度設定部２９１がタッチ操作検出部２９２の検出感度を比較的高く設定した場合、タッチ操作検出部２９２の検出感度を比較的低く設定した場合よりも、接近検出部２９４の検出感度を高く設定する。
これにより、図７を参照して説明したように、タッチ操作検出部２９２がタッチ操作を誤検出してしまうおそれを低減させることができる。
【００５８】
特に、接近検出部２９４は、近接センサ１２０によるタッチパネル１１０への物体の接近の検出結果に基づいて、タッチ操作に用いられる物体以外の物体のタッチパネル１１０への接近状態を検出するので、物体の加速度に依存せずに当該検出を行うことができる。従って、スマートフォン１００では、物体が比較的小さい加速度でタッチパネルに接近する場合でも、タッチ操作検出部２９２がタッチ操作を誤検出してしまうおそれを低減させることができる。
【００５９】
冬季など外気温度が低い場合に手袋を装着した状態でもタッチ操作を行えることに対するニーズがある。そこで、スマートフォン１００では、タッチパネル高感度モードに設定することで、手袋を装着した状態でもタッチ操作が可能となる。
一方、タッチ操作の検出感度が高くなると、通話時におけるユーザの頭のタッチパネルへの接近など、ユーザがタッチ操作を意図しない状況での物体のタッチパネルへの近接により、タッチ操作の誤検出が生じるおそれがある。そこで、接近感度設定部２９５が、タッチ操作検出部２９２の検出感度に応じて接近検出部２９４の検出感度を設定することで、タッチ操作の誤検出のおそれを低減させることができる。
【００６０】
また、閾値記憶部２８１は、タッチ操作検出部２９２の検出感度毎に接近検出部２９４の検出感度の閾値を記憶する。そして、接近感度設定部２９５は、閾値記憶部２８１の記憶する閾値に基づいて接近検出部の検出感度を設定する。
これにより、スマートフォン１００をメンテナンスする作業者は、閾値記憶部２８１が記憶している閾値を調整する（書き換える）ことで、タッチ操作検出部２９２の検出感度と接近検出部２９４の検出感度との関係を容易に調整することができる。従って、作業者は、タッチセンサ１１２の特性や発光素子１２１の特性や受光素子１２２の特性の装置毎のばらつきに容易に対応することができる。
【００６１】
また、閾値記憶部２８１は、接近検出部２９４の検出感度の閾値を不揮発性メモリにて記憶する。これにより、スマートフォン１００の電源が一旦切断（ＯＦＦ）された場合でも、電源接続（ＯＮ）後速やかに、接近感度設定部２９５は、タッチ操作検出部２９２の検出感度に応じて接近検出部２９４の検出感度を設定することができる。
【００６２】
なお、タッチパネル入力装置１０やスマートフォン１００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００６３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６４】
１０  タッチパネル入力装置
１１、１１０  タッチパネル
１２、１２０  近接センサ
１３、２９１  タッチ感度設定部
１４、２９２  タッチ操作検出部
１５、２９３  検出抑制部
１６、２９４  接近検出部
１７、２９５  接近感度設定部
１００  スマートフォン
１１１  表示デバイス
１１２  タッチセンサ
１２１  発光素子
１２２  受光素子
１４１  音声入力回路
１４２  音声出力回路
２３０  通信部
２８０  記憶部
２８１  閾値記憶部
２９０  制御部
【図１】
2015014932.tif 000004
【図２】
2015014932.tif 000005
【図３】
2015014932.tif 000006
【図４】
2015014932.tif 000007
【図５】
2015014932.tif 000008
【図６】
2015014932.tif 000009
【図７】
2015014932.tif 000010
【図８】
2015014932.tif 000011